(57)【要約】【課題】  複写機をスロープに沿って移動させることなく載置でき、しかも、搬送時における振動も吸収できるようにする。【解決手段】  底面部にキャスタ２１ａを有する複写機２１を載置して搬送面２４に沿って搬送する台車装置において、底面部に車輪４を有し、複写機の底部両側に後付される一対の基体１と、これら一対の基体１に設けられ、エアーの給排気に基づいて伸縮する空気バネ９と、この空気バネ９の伸縮に基づいて昇降するもので、下降された状態で複写機２１の底面部に対向し、この状態から上昇されることにより複写機２１をそのキャスタ２１ａが搬送面２４から浮上するように上昇させて載置する昇降部材１１と、複写機２１の底部側に後付された一対の基体１の両端部を連結する連結部材２とを具備する。【選択図】      図５
2007230291.tif 000002
【特許請求の範囲】
【請求項１】
底面部にキャスタを有する被搬送物を載置して搬送面に沿って搬送する台車装置において、
底面部に車輪を有し、前記被搬送物の底部両側に後付される一対の基体と、
これら一対の基体に設けられ、エアーの給排気に基づいて伸縮する空気バネと、
この空気バネの伸縮に基づいて昇降するもので、下降された状態で前記被搬送物の底面部に対向し、この状態から上昇されることにより前記被搬送物をそのキャスタが搬送面から浮上するように上昇させて載置する昇降部材と、
前記被搬送物の底部側に後付された前記一対の基体の両端部を連結する連結部材と
を具備することを特徴とする台車装置。
【請求項２】
前記昇降部材は、載置した被搬送物を降ろす場合には、上昇した位置から下降されて前記被搬送物のキャスタを前記搬送面に接触させることを特徴とする請求項１記載の搬送装置。
【請求項３】
底面部にキャスタを有する被搬送物を載置して搬送面に沿って搬送する台車装置において、
底面部に車輪を有し、離間対向する一対の基体と、
これら一対の基体に設けられ、エアーの給排気に基づいて伸縮する空気バネと、
前記一対の基体を連結するように設けられて前記空気バネの伸縮に基づいて昇降するもので、前記搬送面と略面一になる位置に下降した状態で前記被搬送物を載置させたのち、上昇して前記被搬送物を持ち上げる荷台ベースと
を具備することを特徴とする台車装置。
【請求項４】
前記荷台ベースは、その略中央部から折り畳み可能に構成されたことを特徴とする請求項３記載の搬送装置。
【発明の詳細な説明】
【技術分野】
【０００１】
本発明は、例えば、複写機などの振動を受けることを嫌う被搬送物を載置して搬送する台車装置に関する。
【背景技術】
【０００２】
一般に、複写機の底面部にはキャスタが取り付けられ、複写機を搬送する場合には、キャスタを直接、路面に接触させて回転させている。
【０００３】
しかしながら、複写機のキャスタはプラスチック材料にとって成形されてその径が小さくされている。このため、キャスタを直接、路面に接触させて移動させる場合には、路面に凹凸などがあると、凹凸が小さくても乗り越えられないことがあり、移動が困難になるという問題があった。
【０００４】
また、キャスタはプラスチック材料にとって成形されるため、移動時における振動を十分に吸収することができず、複写機に振動衝撃を与えてしまうとともに、騒音も大きくなるという問題がある。
【０００５】
そこで、複写機をパレットに載置してこのパレットごとフォークリフトにより搬送することにより、複写機のキャスタを路面に接触させることなく、また、振動を与えることなく、搬送できるようにしたものが開発されている（例えば、特許文献１参照。）。
【特許文献１】特開２００３−２１２２３７号公報
【発明の開示】
【発明が解決しようとする課題】
【０００６】
しかしながら、複写機をパレットに載置して搬送するものは、パレットに複写機を載置する場合に、複写機を傾斜するスロープに沿って複写機を上昇するように移動させて載置していたため、手間取るものとなっていた。
【０００７】
本発明は上記事情に着目してなされたもので、その目的とするところは、被搬送物をスロープに沿って移動させることなく載置でき、しかも、搬送時における振動も吸収できるようにした台車装置を提供することにある。
【課題を解決するための手段】
【０００８】
上記課題を解決するため、請求項１記載の発明は、底面部にキャスタを有する被搬送物を載置して搬送面に沿って搬送する台車装置において、底面部に車輪を有し、前記被搬送物の底部両側に後付される一対の基体と、これら一対の基体に設けられ、エアーの給排気に基づいて伸縮する空気バネと、この空気バネの伸縮に基づいて昇降するもので、下降された状態で前記被搬送物の底面部に対向し、この状態から上昇されることにより前記被搬送物をそのキャスタが搬送面から浮上するように上昇させて載置する昇降部材と、前記被搬送物の底部側に後付された前記一対の基体の両端部を連結する連結部材とを具備する。
【０００９】
請求項３記載の発明は、底面部にキャスタを有する被搬送物を載置して搬送面に沿って搬送する台車装置において、底面部に車輪を有し、離間対向する一対の基体と、これら一対の基体に設けられ、エアーの給排気に基づいて伸縮する空気バネと、前記一対の基体を連結するように設けられて前記空気バネの伸縮に基づいて昇降するもので、前記搬送面と略面一になる位置に下降した状態で前記被搬送物を載置させたのち、上昇して前記被搬送物を持ち上げる荷台ベースとを具備する。
【発明の効果】
【００１０】
本発明によれば、被搬送物をスロープに沿って移動させることなく、持ち上げて載置でき、被搬送物の載置作業が容易になるとともに、搬送時に発生する振動も吸収してその損傷を防止することができる。
【発明を実施するための最良の形態】
【００１１】
以下、本発明を図面に示す実施の形態を参照して詳細に説明する。  
図１は本発明の一実施の形態である台車装置を示す斜視図である。  
台車装置は、一対の基体１，１と、これら一対の基体１，１を連結する一対の連結部材２，２とによって構成されている。
【００１２】
図２は基体１及び昇降部材１１を示す斜視図で、図３は昇降部材１１の駆動系を示すものである。  
基体１は、圧延鋼板によって中空の長方形状に構成され、その下面両端部には車輪４が取り付けられている。また、基体１には、複数枚の支柱６を介して長方形状のプレート７が取り付けられている。プレート７上には複数個の空気バネ９が固定的に配設され、これら空気バネ９の上面部には連結材１０を介して昇降部材１１が連結されている。昇降部材１１は断面Ｌ字状に折曲形成され、被搬送物としての複写機の底面一側部側を受ける受け部１１ａを有している。
【００１３】
昇降部材１１の両端部には、それぞれクランプ材１２が取り付けられ、これらクランプ材１２によって上記した連結部材２の両端部がクランプされるようになっている。クランプ材１２は開閉自在に設けられ、連結部材２の取付時には、下方に開放されて連結部材２を受け入れたのち、上方に回動されてネジ１２ａにより固定されて連結部材２を固定するようになっている。
【００１４】
昇降部材１１は空気バネ９の伸縮に基づいて昇降するようになっている。空気バネ９には、エアー供給機構１４によってエアーが供給されるようになっている。基体１内の略中央部にはエアー注入用の接続口体１５が設けられ、基体１の上面略中央部には開口部１ａが穿設されている。接続口体１５は開口部１ａに対向されている。接続口体１５の上部側にはエアー供給管１６を介してエアー供給機構１４が接続されている。
【００１５】
また、接続口体１５の両側壁部にはエアー供給ホース１７を介して空気バネ９のエアー導入口部１８が接続されている。さらに、接続口体１５には空気バネ９内のエアーを排気する排気部（図示しない）が設けられ、この排気部は開閉レバー（図示しない）によって開閉されるようになっている。
【００１６】
次に、上記したように構成される台車装置によって複写機を搬送する場合について説明する。  
まず、図４に示すように、一対の基体１の空気バネ９のエアーを排気して昇降部材１１を最下端部に下降させて複写機２１の底部両側に配置する。この状態から一対の基体１を矢印で示すように複写機２１に向かって移動させて図５に示すようにその昇降部材１１の受け部１１ａを複写機２１の底面下部側に対向させる。
【００１７】
こののち、クランプ材１２を下方に回動させて開放させた状態から図６に示すように連結部材２の両端部を上部側から入れ込む。ついで、クランプ材１２を上方に回動させて閉じてネジ１２ａによって固定することにより連結部材２を固定して一対の基体１を一体的に連結する。この連結後、図７に示すように、空気バネ９にエアー供給機構１４によりエアーを供給する。このエアーの供給により、空気バネ９が上方に伸びて昇降部材１１が上昇されてその受け部１１ａによって複写機２１が持ち上げられて載置され、そのキャスタ２２が搬送面２４から浮上する。キャスタ２２が所定距離浮上したらエアーの供給が停止される。
【００１８】
このようにして台車装置に載置された複写機２１は、台車装置の移動により移送され、例えば、複写機２１の工場からの出荷時には、台車装置ごとトラックなどの車両の荷台に載せられて搬送される。また、トラックが目的地に到着すると、複写機２１が台車装置ごとトラックから降ろされて、台車装置の移動により事務所などの設置場所へと移送される。
【００１９】
複写機２１が設置場所に移送されたら、空気バネ９のエアーが排気部から排気されて図８に矢印で示すように昇降部材１１が設置面２５に接触する位置まで下降される。この下降により複写機２１のキャスタ２２が設置面２５に接触して設置されることになる。こののち、クランプ材１２の固定ネジ１２ａを外して連結部材２の固定を解除して連結部材２を取り外す。これにより、一対の基体１は分解されることになり、一対の基体１を矢印で示すように複写機２１から離れる方向に移動させて取り外して設置作業を終了する。
【００２０】
上記したように、この実施の形態によれば、一対の基体１の昇降部材１１の受け部１１ａを複写機２１の底面部に対向させた状態から、空気バネ９を伸ばすことにより昇降部材１１を上昇させてその受け部１１ａにより複写機２１を上昇させて載置するため、従来のように複写機２１を傾斜するスロープに沿って移動させることにより上昇させて載置する場合と比較して複写機２１の載置作業が容易になる。
【００２１】
また、複写機２１を台車装置から降ろして設置する場合には、空気バネ９のエアーを排気するだけで、複写機２１を下降させてそのキャスタ２１ａを設置面２５に接触させて設置でき、設置作業も容易になる。
【００２２】
さらに、複写機２１の搬送時に発生する振動は、空気バネ９によって吸収することができ、複写機２１に損傷を与えることもない。
【００２３】
図９は、本発明の第２の実施の形態である台車装置を示す斜視図である。  
なお、上記した第１の実施の形態で説明した部分と同一部分については、同一番号を付してその説明を省略する。
【００２４】
この第２の実施の形態では、一対の基体１が荷台ベース３１を介して連結され、荷台ベース３１はその略中央部からヒンジを介して折り畳み可能に構成されている。荷台ベース３１は、一対の基体１の空気バネ９に連結材１０を介して接続されている。
【００２５】
また、一対の基体１の上面両端部にはクランプ材３２が設けられ、これらクランプ材３２によって連結部材３３の両端部がクランプされ、これにより一対の基体１の両端部が連結されるようになっている。
【００２６】
つぎに、このように構成される台車装置によって複写機２１を搬送する場合について説明する。  
まず、一対の基体１から連結部材３３を外すとともに、空気バネ９からエアーを排気して荷台ベース３１を搬送面に接触する位置に下降させる。この状態から複写機２１を荷台ベース３１に向かって移動させて荷台ベース３１上に載置する。この載置後、一対の基体１のクランプ材３２を下方に回動して開放した状態から連結材３３を入れ込み、ついで、クランプ材３２を上方に回動して閉じてネジ３２ａにより固定することにより連結部材３３を固定して一対の基体１の両端部を連結する。
【００２７】
こののち、空気バネ９にエアーを供給して空気バネ９を伸ばして荷台ベース３１を上昇させて複写機２１を持ち上げる。荷台ベース３１が床面から所定量上昇すると、エアーの供給が停止される。
【００２８】
このように荷台ベース３１上に載置して持ち上げられた複写機２１は、台車装置の移動により移送され、上記した実施の形態と同様に、出荷時には、台車装置ごとトラックなどの車両の荷台に載せられて搬送される。また、トラックが目的地に到着すると、複写機が台車装置ごとトラックから降ろされて、台車装置の移動により事務所などの設置場所へと移送される。複写機２１が設置場所に移送されたら、空気バネ９のエアーが排出されて荷台ベース３１が設置面に接触する位置まで下降される。この下降後、複写機２１を荷台ベース３１から移動させて設置面に設置する。この設置後、クランプ材３２の固定ネジ３２ａを外して連結部材３３の固定を解除して連結部材３３を取り外す。ついで、図１０に示すように、一対の基体１を互いに近接する方向に移動させて荷台ベース３１をその略中央部が上昇するように折り畳んで台車装置を収納する。  
この実施の形態によっても、上記したと同様の作用効果を奏する。
【００２９】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００３０】
【図１】本発明の第１の実施の形態である台車装置を示す斜視図。
【図２】図１の台車装置の基体及び昇降部材を示す斜視図。
【図３】図２の昇降部材の駆動系を示す正面図。
【図４】図２の基体及び昇降部材を複写機の両側部に後付する状態を示す斜視図。
【図５】図４の基体及び昇降部材が複写機に後付された状態を示す図。
【図６】図５の後付された一対の基体及び昇降部材が連結部材によって連結される状態を示す斜視図。
【図７】図５の後付された基体の昇降部材によって複写機が持上げられて載置された状態を示す図。
【図８】図７の載置された複写機が移送されて設置面に設置された状態を示す図。
【図９】本発明の第２の実施の形態である台車装置を示す斜視図。
【図１０】図９の台車装置の荷台ベースが折り畳まれて収納される状態を示す図。
【符号の説明】
【００３１】
１…基体、２，３３…連結部材、４…車輪、９…空気バネ、１１…昇降部材、２１ａ…キャスタ、２１…複写機（被搬送物）、２４…搬送面、３１…荷台ベース。
【図１】
2007230291.tif 000003
【図２】
2007230291.tif 000004
【図３】
2007230291.tif 000005
【図４】
2007230291.tif 000006
【図５】
2007230291.tif 000007
【図６】
2007230291.tif 000008
【図７】
2007230291.tif 000009
【図８】
2007230291.tif 000010
【図９】
2007230291.tif 000011
【図１０】
2007230291.tif 000012